(57)【要約】      （修正有）【課題】組み立てやすく、頑丈で耐久性に優れ、使用しやすく、複数の靴ケースが重ねて置かれる場合に安定かつ頑丈である靴ケースを提供する。【解決手段】透明靴ケースであって、ケース体折板、底板、前端蓋枠３０、前端蓋板４０、後端蓋５０から構成され、ケース体折板は矩形の左、中央、右折り畳み部から構成され、左、右折り畳み部は中央折り畳み部１２に対して垂直であり、底板に嵌合接続されてケース体に構成され、ケース体は、それぞれ前端蓋枠、後端蓋に嵌合固定され、前端蓋板と前端蓋枠は可動接続され、中央折り畳み部の前端蓋枠、後端蓋との接続箇所には少なくとも１つの第１貫通孔が設けられ、底板には第１貫通孔に対称の第２貫通孔が設けられ、前端蓋枠及び後端蓋の片側に第１貫通孔を露出する切欠溝が設けられ、対向する他側に第２貫通孔上に被覆される挿入突起が設けられ、２組以上の靴ケースが重ねて置かれる場合に、１組の靴ケースの挿入突起が別の靴ケースの第１貫通孔に挿入される。【選択図】図１
0003223888.tif 000002
【実用新案登録請求の範囲】
【請求項１】
ケース体折板、底板、前端蓋枠、前端蓋板、後端蓋から構成され、前記ケース体折板は３つの矩形の左、中央、右折り畳み部から構成され、中央折り畳み部の形状及びサイズは底板に対応し、左、右折り畳み部は中央折り畳み部の両側に対称的に配置され、左、右２つの折り畳み部は中央折り畳み部に対して垂直であり、底板に嵌合接続される時にケース体に構成され、上記ケース体は、それぞれ前端蓋枠、後端蓋に嵌合固定され、前端蓋板と前端蓋枠は可動接続され、上記左、右折り畳み部の底板に接続される側に、板体に沿って外向きに突出する挿入片及び第１係合部品が設けてあり、底板に、左、右折り畳み部に対応する挿入片係合溝と第１係合部品溝が設けてあり、ケース体の前端蓋枠及び後端蓋との嵌合箇所に複数の第２係合部品が設けてあり、前端蓋枠及び後端蓋に、対応するケース体挿入溝及び第２係合部品溝が設けてあることを特徴とする新型透明靴ケース。
【請求項２】
前記左、右２つの折り畳み部は、中央折り畳み部上で平らに折り畳むことができることを特徴とする請求項１に記載の新型透明靴ケース。
【請求項３】
前記中央折り畳み部の前端蓋枠、後端蓋との接続箇所にいずれも少なくとも１つの第１貫通孔が設けてあり、底板に上記第１貫通孔に対して対称である第２貫通孔が設けてあり、前端蓋枠及び後端蓋の片側に第１貫通孔を露出する切欠溝が設けてあり、対向する他側に第２貫通孔上に被覆される挿入突起が設けてあり、２組以上の靴ケースが重ねて置かれる場合に、１組の靴ケースの挿入突起が別の靴ケースの第１貫通孔に挿入されることを特徴とする請求項１に記載の新型透明靴ケース。
【請求項４】
前記ケース体の前端蓋枠、後端蓋との接続箇所に位置決め切欠が設けてあり、前端蓋枠及び後端蓋のケース体挿入溝内に、対応する位置決め補強リブが設けてあることを特徴とする請求項１に記載の新型透明靴ケース。
【請求項５】
前記前端蓋板に回転軸が固定して設けてあり、前端蓋枠に、対応する回転軸係合溝が設けてあり、前端蓋板は一定の範囲内を回転することを特徴とする請求項１に記載の新型透明靴ケース。
【請求項６】
前記前端蓋板にさらに第３係合部品が設けてあり、前端蓋枠に、対応する第３係合部品溝が設けてあり、両者が嵌合されることにより、前端蓋板と前端蓋枠とが係合接続されることを特徴とする請求項１又は５に記載の新型透明靴ケース。
【請求項７】
前記前端蓋板に把持孔が設けてあることを特徴とする請求項１に記載の新型透明靴ケース。
【請求項８】
前記後端蓋に排気孔が設けてあることを特徴とする請求項１に記載の新型透明靴ケース。
【請求項９】
前記ケース体折板、前端蓋板は厚さ≧１．５ＭＭの透明プラスチック板であることを特徴とする請求項１に記載の新型透明靴ケース。
【請求項１０】
前記後端蓋及び前端蓋枠は不透明な硬質プラスチックであることを特徴とする請求項１に記載の新型透明靴ケース。
【考案の詳細な説明】
【技術分野】
【０００１】
本実用新案は靴ケースに関し、具体的には透明靴ケースに関する。
【背景技術】
【０００２】
現在、どの家庭でも大量の靴を収納する必要性に迫られている。通常、新しい靴は購入時に、靴を保護する役割を果たす靴ケースが付属される。靴の購入時に付属される靴ケースはボール紙で製造されるため、湿気やすく、カビが発生しやすく、さらに、異なる靴のケースは大きさが異なるため、一緒に置くと非常に雑然として見え、他方では、靴ケースの外側からは中の靴を見ることができないため、靴を探す際に非常に不便である。現在、市場ではすでに透明靴ケースが販売されており、一般に、一枚の透明プラスチック板を折り畳んで構成される蓋開閉式の靴ケースか、２枚の透明プラスチック板を折り畳んで構成される引き出し式の靴ケースが採用されており、従来の靴ケースの弊害を解決しているが、ケース体を構成するプラスチック板は、組み立てやすくするためには薄くて柔らかい必要があるため、変形しやすく、複数の靴ケースを重ねて置く場合には不都合であり、耐用年数が短い等の問題がある。
【考案の概要】
【考案が解決しようとする課題】
【０００３】
本実用新案の目的は、組み立てやすく、頑丈で耐久性に優れ、使用しやすい透明靴ケースであって、さらに複数の靴ケースが重ねて置かれる場合に安定かつ頑丈である透明靴ケースを提供することである。
【課題を解決するための手段】
【０００４】
上記の目的を達成するために採用した技術的解決手段は、以下の特徴を有する新型透明靴ケースである。ケース体折板、底板、前端蓋枠、前端蓋板、後端蓋から構成され、前記ケース体折板は３つの矩形の左、中央、右折り畳み部から構成され、中央折り畳み部の形状及びサイズは底板に対応し、左、右折り畳み部は中央折り畳み部の両側に対称的に配置され、左、右２つの折り畳み部は、中央折り畳み部上で平らに折り畳むことができ、左、右２つの折り畳み部は中央折り畳み部に対して垂直であり、底板に嵌合接続される時にケース体に構成され、上記ケース体は、それぞれ前端蓋枠、後端蓋に嵌合固定され、前端蓋板と前端蓋枠は可動接続され、上記左、右折り畳み部の底板に接続される側に、板体に沿って外向きに突出する挿入片及び第１係合部品が設けてあり、底板に、左、右折り畳み部に対応する挿入片係合溝と第１係合部品溝が設けてあり、ケース体の前端蓋枠及び後端蓋との嵌合箇所に複数の第２係合部品が設けてあり、前端蓋枠及び後端蓋に、対応するケース体挿入溝及び第２係合部品溝が設けてある。
【０００５】
前記中央折り畳み部の前端蓋枠、後端蓋との接続箇所に、いずれも少なくとも１つの第１貫通孔が設けてあり、底板には上記第１貫通孔に対して対称である第２貫通孔が設けてあり、前端蓋枠及び後端蓋の片側に第１貫通孔を露出する切欠溝が設けてあり、対向する他側に第２貫通孔上に被覆される挿入突起が設けてあり、２組以上の靴ケースが重ねて置かれる場合に、１組の靴ケースの挿入突起が別の靴ケースの第１貫通孔に挿入される。
【０００６】
前記ケース体の前端蓋枠、後端蓋との接続箇所に位置決め切欠が設けてあり、前端蓋枠及び後端蓋のケース体挿入溝内に、対応する位置決め補強リブが設けてあり、位置決め切欠と位置決め補強リブが相互に嵌合されて、前端蓋枠及び後端蓋のケース体との取り付け位置の正確性を保証し、また、位置決め補強リブはさらに前端、後端蓋の耐荷重能力を高めることができる。
【０００７】
前記前端蓋板に回転軸が固定して設けてあり、前端蓋枠に、対応する回転軸係合溝が設けてあり、前端蓋板は一定の範囲内を回転する。
【０００８】
前記前端蓋板にさらに第３係合部品が設けてあり、前端蓋枠に、対応する第３係合部品溝が設けてあり、両者が嵌合されることにより、前端蓋板と前端蓋枠とが係合接続される。
前記前端蓋板には把持孔が設けてあるため、前端蓋を開閉しやすく、さらに靴ケースの通気に役立つ。
【０００９】
前記後端蓋には排気孔が設けてあり、靴ケースの良好な通気性能を保証する。
【００１０】
前記ケース体折板、前端蓋板は透明プラスチック板であり、ケースの中身を直接見ることができるため、使用しやすく、透明プラスチック板は厚さ≧１．５ＭＭであるため、防湿性で耐久性を有する。
【００１１】
前記底板は透明又は不透明なプラスチック板である。
【００１２】
前記後端蓋及び前端蓋枠は不透明な硬質プラスチックであり、靴ケースの耐荷重能力と見た目の良さを向上させる。
【考案の効果】
【００１３】
本実用新案の透明靴ケースの有益な効果は、以下のとおりである。本実用新案の透明靴ケースは、ケース体折板、底板及び前、後端蓋から構成され、構造が簡単で組み立てやすく、ケース体折板の左、右２つの折り畳み部は、中央折り畳み部上で平らに折り畳むことができるため、輸送及び保管しやすく、ケース体折板及び前端蓋板は透明プラスチック板であり、ケースの中身を直接見ることができるため、使用しやすく、前端盖には前端蓋板が採用されるため、中身の出し入れがしやすい。透明プラスチック板は厚さ≧１．５ＭＭであるため、防湿性で耐久性を有し、底板には透明又は不透明なプラスチック板を採用してもよく、後端蓋及び前端蓋枠には不透明な硬質プラスチックを採用して、靴ケースの耐荷重能力と見た目の良さを向上させる。２組以上の靴ケースが重ねて置かれる場合に、１組の靴ケースの挿入突起が別の靴ケースの第１貫通孔に挿入されて、複数の靴ケースが重ねて置かれる場合に安定かつ頑丈であることを保証する。
【図面の簡単な説明】
【００１４】
【図１】本実用新案の使用状態図である。
【図２】本実用新案の参考図である。
【図３】本実用新案のケース体折板の構造概略図である。
【図４】本実用新案の底板の概略図である。
【図５】本実用新案の前端蓋枠の概略図である。
【図６】本実用新案の前端蓋板の概略図である。
【図７】本実用新案の後端蓋の概略図である。
【考案を実施するための形態】
【００１５】
以下、図面と実施例を参照しながら本実用新案についてさらに詳細に説明する。
【実施例１】
【００１６】
図１、図２に示す新型透明靴ケースは、ケース体折板１０、底板２０、前端蓋枠３０、前端蓋板４０、後端蓋５０から構成され、図３に示すように上記ケース体折板１０は３つの矩形の左、中央、右折り畳み部１１、１２、１３から構成され、中央折り畳み部１２の形状及びサイズは底板２０に対応し、左、右折り畳み部１１、１３は中央折り畳み部１２の両側に対称的に配置され、左、右２つの折り畳み部１１、１３は、中央折り畳み部１２上で平らに折り畳むことができ、輸送又は保管の際に空間を節約し、左、右２つの折り畳み部１１、１３を中央折り畳み部１２に対して垂直に折り、底板２０に嵌合接続される時にケース体に構成され、左、右折り畳み部１１、１３の底板２０に接続される側に、板体に沿って外向きに突出する挿入片１が設けてあり、挿入片１に複数の第１係合部品２が設けてあり、図４に示すように、底板２０に左、右折り畳み部に対応する挿入片係合溝１−１と第１係合部品溝２−１が設けてあり、挿入片１と挿入片係合溝１−１及び第１係合部品２と第１係合部品溝２−１との嵌合によって、ケース体折板１０と底板２０とが嵌合接続されてケース体に構成され、上記ケース体は前端蓋枠３０、後端蓋５０と嵌合固定され、ケース体と前端蓋枠３０、後端蓋５０との嵌合箇所に複数の第２係合部品４が設けてある。
図１及び図５、図６に示すように、前端蓋枠３０及び前端蓋板４０は可動接続されて構成され、前端蓋枠３０及び後端蓋５０に、ケース体に対応するケース体挿入溝６及び第２係合部品溝４−１が設けてある。前端蓋板４０に回転軸４１が固定して設けてあり、前端蓋枠３０に、対応する回転軸係合溝３１が設けてあり、前端蓋板は一定の範囲内を回転する。前端蓋板４０にさらに第３係合部品４２が設けてあり、前端蓋枠３０に、対応する第３係合部品溝３２が設けてあり、両者が嵌合されることにより、前端蓋板４０と前端蓋枠３０とが係合接続される。前端蓋板４０には把持孔４３が設けてあるため、前端蓋板を開閉しやすく、さらに靴ケースの通気に役立つ。
【００１７】
ケース体折板の中央折り畳み部の前端蓋枠、後端蓋との接続箇所に、いずれも少なくとも１つの第１貫通孔３が設けてあり、底板２０には第１貫通孔に対して対称である第２貫通孔３−１が設けてあり、第１、第２貫通孔の設置数は必要に応じた数としてもよい。
【００１８】
図１から図５及び図７に示すように、ケース体折板の中央折り畳み部１２の前端蓋枠３０、後端蓋５０との接続箇所に、４つの頂角に近接し、中線に対して対称的に配置される第１貫通孔３が設けてあり、底板２０には第１貫通孔に対して対称である第２貫通孔３−１が設けてあり、前端蓋枠３０及び後端蓋５０の片側に第１貫通孔３を露出する切欠溝３−２が設けてあり、対向する他側に第２貫通孔３−１上に被覆される挿入突起３−３が設けてあり、２組以上の靴ケースが重ねて置かれる場合に、１組の靴ケースの挿入突起が別の靴ケースの第１貫通孔に挿入されて、複数の靴ケースが重ねて置かれる場合に安定かつ頑丈であることを保証する。
【００１９】
図３、図５、図７に示すように、ケース体の前端蓋枠３０、後端蓋５０との接続箇所に位置決め切欠５が設けてあり、前端蓋枠３０及び後端蓋５０のケース体挿入溝６内に、対応する位置決め補強リブ５−１が設けてあり、位置決め切欠５と位置決め補強リブ５−１が相互に嵌合されて、前端蓋枠３０及び後端蓋５０のケース体との取り付け位置の正確性を保証し、また、位置決め補強リブ５−１はさらに前端、後端蓋の耐荷重能力を高めることができる。後端蓋５０には排気孔５１が設けてあり、靴ケースの良好な通気性能を保証する。
【００２０】
本実用新案のケース体折板１０、前端蓋板４０は透明プラスチック板であり、ケースの中身を直接見ることができるため、使用しやすく、透明プラスチック板は厚さ≧１．５ＭＭであるため、防湿性で耐久性を有する。底板２０には、必要に応じて透明又は不透明なプラスチック板を採用してもよく、後端蓋５０及び前端蓋枠３０に不透明な硬質プラスチックを採用すると、靴ケースの耐荷重能力と見た目の良さを向上させる。
【符号の説明】
【００２１】
１０  ケース体折板
２０  底板
３０  前端蓋枠
４０  前端蓋板
５０  後端蓋
１１  左折り畳み部
１２  中央折り畳み部
１３  右折り畳み部
１  挿入片
２  第１係合部品
１−１  挿入片係合溝
２−１  第１係合部品溝
３  第１貫通孔
３−１  第２貫通孔
３−２  切欠溝
３−３  挿入突起
４  第２係合部品
４−１  第２係合部品溝
５  位置決め切欠
５−１  位置決め補強リブ
６  ケース体挿入溝
３１  回転軸係合溝
３２  第３係合部品溝
４１  回転軸
４２  第３係合部品
４３  把持孔
５１  排気孔
【図１】
0003223888.tif 000003
【図２】
0003223888.tif 000004
【図３】
0003223888.tif 000005
【図４】
0003223888.tif 000006
【図５】
0003223888.tif 000007
【図６】
0003223888.tif 000008
【図７】
0003223888.tif 000009